(57)【要約】【課題】簡単な構成で、小型化が可能な光ディスク記録再生装置を提供することを課題とする。【解決手段】スピンドルモータ１３，該スピンドルモータと係合した光ディスクに対してデータの記録／再生を行なう光ピックアップ１５が設けられたベース１１と、シャッタ開閉機構を有するカートリッジ保持手段２１と、カートリッジ保持手段２１をベース１１に対して接近／離反させる移動手段とを有し、カートリッジ保持手段２１のベース１１と対向するカートリッジ受け部４１には、スピンドルモータ１３に係合した裸の光ディスクが挿通可能な開口４３が形成されている。【選択図】      図１
2004152423.tif 000002
【特許請求の範囲】
【請求項１】
光ディスクと係合し、前記光ディスクを回転駆動するスピンドルモータ，該スピンドルモータと係合した前記光ディスクに対してデータの記録／再生を行なう光ピックアップが設けられたベースと、
カートリッジ挿入口から光ディスクを収納したカートリッジが挿入されると、前記カートリッジのシャッタを開き、前記カートリッジが排出されると前記カートリッジシャッタを閉じるシャッタ開閉機構を有するカートリッジ保持手段と、
該カートリッジ保持手段に保持された前記カートリッジの前記光ディスクと前記ベースのスピンドルモータとが係合するカートリッジチャッキング状態、及び前記カートリッジ保持手段が前記ベースより離れた状態で、前記カートリッジ保持手段と前記ベースとの間の空間から、裸の光ディスクを前記スピンドルモータに係合させることが可能な裸ディスクチャッキング可能状態となるように、前記ベース、前記カートリッジ保持手段のうちの一方を他方に対して接近／離反させる移動手段とを有し、
前記カートリッジ保持手段の前記ベースと対向するカートリッジ受け部には、前記スピンドルモータに係合した前記裸の光ディスクが挿通可能な開口が形成されていることを特徴とする請求項１記載の光ディスク記録再生装置。
【請求項２】
挿入される前記カートリッジの前端面と対向する前記カートリッジ受け部の縁部には、前記ベース側に傾斜する傾斜部を設けたことを特徴とする請求項１記載の光ディスク記録再生装置。
【請求項３】
前記カートリッジ保持手段の開口を一部隠蔽する手段を設けたことを特徴とする請求項１又は２記載の光ディスク記録再生装置。
【請求項４】
前記ベースの周縁には、前記カートリッジ保持手段方向に向かう壁部が形成され、
該壁部には、その先端から少なくとも前記スピンドルモータに係合した裸の光ディスクの位置まで切り欠かれ、前記スピンドルモータを通る直線上に略位置する２つの切欠が形成されていることを特徴とする請求項１乃至３のいずれかに記載の光ディスク記録再生装置。
【発明の詳細な説明】
【０００１】
【発明の属する技術分野】
本発明は、光ディスク記録再生装置に関し、更に詳しくは、光ディスクを収納したカートリッジ、裸の光ディスクの両方を使用できる光ディスク記録再生装置に関する。
【０００２】
【従来の技術】
図５は、従来の光ディスク（例えば、ＭＯ、ＣＤ−Ｒ、ＰＤ等）の外観を示す図である。図５（ａ）はその正面が上になった斜視図、図５（ｂ）は裏面が上になった斜視図である。これらの図において、光ディスク１は、メディアのキズ、汚れを防止するために、カートリッジ３内に収納されている。そして、シャッタ５により開閉されるカートリッジ３の開口７を介してデータの記録／再生を行なうようになっている。
【０００３】
近年、光ディスクの保護膜の改良等により、裸の光ディスクの形態でも使用できるようになっている。
【０００４】
そして、カートリッジに収納された状態の光ディスクでも、又、裸の光ディスクでも記録再生できる装置も提案されている（例えば、特許文献１参照）。
【０００５】
【特許文献１】
特開平９−３２０１７０号公報（第７頁、第８頁、図７）
【０００６】
【発明が解決しようとする課題】
しかし、特許文献１に記載の発明では、カートリッジや裸の光ディスクを挿入口に挿入すると、カートリッジや裸の光ディスクを装置内に引き込んでチャッキングを行なうビルトインローディング機構や、装置外へ飛び出したトレイにカートリッジや裸の光ディスクを載置すると、トレイを装置内に引き込んでチャッキングを行なうトレイ型ローディング機構であり、いずれの機構も動作が複雑である。
【０００７】
よって、構成が複雑となり、装置が大型化する問題点がある。
【０００８】
本発明は上記問題点に鑑みてなされたもので、その課題は、簡単な構成で、小型化が可能な光ディスク記録再生装置を提供することにある。
【０００９】
【課題を解決するための手段】
上記課題を解決する請求項１記載の発明は、光ディスクと係合し、前記光ディスクを回転駆動するスピンドルモータ，該スピンドルモータと係合した前記光ディスクに対してデータの記録／再生を行なう光ピックアップが設けられたベースと、カートリッジ挿入口から光ディスクを収納したカートリッジが挿入されると、前記カートリッジのシャッタを開き、前記カートリッジが排出されると前記カートリッジシャッタを閉じるシャッタ開閉機構を有するカートリッジ保持手段と、該カートリッジ保持手段に保持された前記カートリッジの前記光ディスクと前記ベースのスピンドルモータとが係合するカートリッジチャッキング状態、及び前記カートリッジ保持手段が前記ベースより離れた状態で、前記カートリッジ保持手段と前記ベースとの間の空間から、裸の光ディスクを前記スピンドルモータに係合させることが可能な裸ディスクチャッキング可能状態となるように、前記ベース、前記カートリッジ保持手段のうちの一方を他方に対して接近／離反させる移動手段とを有し、前記カートリッジ保持手段の前記ベースと対向するカートリッジ受け部には、前記スピンドルモータに係合した前記裸の光ディスクが挿通可能な開口が形成されていることを特徴とする請求項１記載の光ディスク記録再生装置である。
【００１０】
移動手段はベース、カートリッジ保持手段のうちの一方を他方に接近／離反させるだけなので、構成が簡単となり、小型化が可能である。
【００１１】
更に、カートリッジ保持手段の前記ベースと対向するカートリッジ受け部には、前記スピンドルモータに係合した前記裸の光ディスクが挿通可能な開口が形成されていることにより、裸の光ディスクが装着されている場合でも、カートリッジ保持手段は、カートリッジチャッキング状態までベースに接近することができ、装置がより小型化できる。
【００１２】
移動手段の例としては、例えば、前記ベースと、前記カートリッジ保持手段と、前記ベース、前記カートリッジ保持手段のうち、少なくともどちらか一方が他方に対して回転可能とする回転軸とからなる回転機構や、前記ベースと、前記カートリッジ保持手段と、一端部が前記ベースに回転可能に取り付けられ、他端部が前記カートリッジ保持手段に回転可能に取り付けられた第１リンクと、一端部が前記ベースに回転可能に取り付けられ、他端部が前記カートリッジ保持手段に回転可能に取り付けられた第２リンクとからなるリンク機構等がある。
【００１３】
請求項２記載の発明は、挿入される前記カートリッジの前端面と対向する前記カートリッジ受け部の縁部には、前記ベース側に傾斜する傾斜部を設けたことを特徴とする請求項１記載の光ディスク記録再生装置である。
【００１４】
挿入される前記カートリッジの前端面と対向する前記カートリッジ受け部の縁部には、前記ベース側に傾斜する傾斜部を設けたことにより、カートリッジをカートリッジ受け部の挿入口から挿入した場合、カートリッジがカートリッジ受け部の縁部に引っかかることなく挿入できる。
【００１５】
請求項３記載の発明は、前記カートリッジ保持手段の開口を一部隠蔽する手段を設けたことを特徴とする請求項１又は２記載の光ディスク記録再生装置である。
【００１６】
前記カートリッジ保持手段の開口を一部隠蔽する手段を設けたことにより、カートリッジを保持する受け部の面積を増やすことができ、カートリッジ保持手段はカートリッジを安定して保持することできる。
【００１７】
請求項４記載の発明は、前記ベースの周縁には、前記カートリッジ保持手段方向に向かう壁部が形成され、該壁部には、その先端から少なくとも前記スピンドルモータに係合した裸の光ディスクの位置まで切り欠かれ、前記スピンドルモータを通る直線上に略位置する２つの切欠が形成されていることを特徴とする請求項１乃至３のいずれかに記載の光ディスク記録再生装置である。
【００１８】
前記ベースの周縁には、前記カートリッジ保持手段方向に向かう壁部が形成されていることにより、ベース上に塵埃が侵入しにくい。
【００１９】
又、壁部には、その先端から少なくとも前記スピンドルモータに係合した裸の光ディスクの位置まで切り欠かれ、前記スピンドルモータを通る直線上に略位置する２つの切欠が形成されていることにより、裸の光ディスクのスピンドルモータへの係脱が容易となる。
【００２０】
【発明の実施の形態】
次に図面を用いて本発明の実施の形態例を説明する。
【００２１】
図１は本発明の実施の形態例の光ディスク記録再生装置の斜視図である。
【００２２】
図において、ベース１１の略中央部には、光ディスクと係合し、光ディスクを回転駆動するスピンドルモータ１３が設けられ、ベース１１の後部には、スピンドルモータ１３と係合した光ディスクのトラックを横切る方向に移動可能に設けられ、光ディスクに対してデータの記録／再生を行なう光ピックアップ１５が設けられている。
【００２３】
一方、カートリッジ保持手段２１には、前部に形成されたカートリッジ挿入口２３から光ディスクを収納したカートリッジが挿入されると、カートリッジのシャッタを開き、カートリッジが排出されるとカートリッジシャッタを閉じるシャッタ開閉機構（図示せず）が設けられている。
【００２４】
又、ベース１１の周縁には、カートリッジ保持手段２１方向に向かう壁部が形成されている。本実施の形態例では、ベース１１の前部には、カートリッジ保持手段２１のカートリッジ挿入口２３が対向可能で、対向時にはカートリッジ挿入口２３を塞ぐ前部折曲部１２が形成されている。更に、ベース１１の側部には、カートリッジ保持手段２１方向に折曲され、カートリッジ保持手段２１の側面２２が対向可能な側部折曲部１４が形成されている。
【００２５】
そして、側部折曲部１４には、その先端からスピンドルモータ１３に係合した裸の光ディスク１の位置まで切り欠かれ、スピンドルモータを通る直線上に略位置する２つの切欠１４ａが形成されている。
【００２６】
ベース１１の後部には、穴が形成されたブラケット１７が設けられている。一方、カートリッジ保持手段２１の後部には、ベース１１のブラケット１７と対向し、穴が形成されたブラケット２５が設けられている。更に、ベース１１のブラケット１７の穴と、カートリッジ保持手段２１のブラケット２５の穴をピン（回転軸）３１が挿通することにより、カートリッジ保持手段２１はベース１１に対して回転可能に設けられている。すなわち、ベース１１と、カートリッジ保持手段２１と、ピン３１とからなる回転機構、すなわち移動手段が形成されている。
【００２７】
カートリッジ保持手段２１の両方の側面２２の下部を互いに近づく方向に折り曲げて、ベース１１と対向するカートリッジ受け部４１が形成されている。
【００２８】
次に、図２を用いて、図１の作動を説明する。図２（ａ）は、ベース１１の前部折曲部１２に邪魔されないで、カートリッジ保持手段２１のカートリッジ挿入口２３からカートリッジ３が挿入可能となるまで、カートリッジ保持手段２１がベース１１より離反した状態を示している。
【００２９】
図２（ｂ）は、図２（ａ）に示すカートリッジ保持手段２１にカートリッジ３を挿入した状態（この状態では、カートリッジ保持手段２１のシャッタ開閉機構により、カートリッジ３のシャッタが開かれている）からカートリッジ保持手段２１をベース１１方向に回転させ、カートリッジ３内に収納された光ディスク１をスピンドルモータ１３に係合させたカートリッジチャッキング状態を示している。
【００３０】
図２（ｃ）は、カートリッジ保持手段２１が、図２（ａ）の状態よりさらにベース１１より離れた状態まで回転させ、カートリッジ保持手段２１とベース１１との間の空間から裸の光ディスク１をスピンドルモータ１３に係合させることが可能な状態（裸ディスクチャッキング可能状態）を示している。
【００３１】
裸の光ディスク１をスピンドルモータ１３に係合した後、カートリッジ保持手段２１をベース１１方向に回転させると、図２（ｂ）と同じような状態となる。
【００３２】
次に、図１のカートリッジ保持手段２１を矢印Ａ方向から見た図である図３を用いて、カートリッジ受け部４２の説明を行なう。
【００３３】
２つのカートリッジ受け部４１は、カートリッジ保持手段２１に挿入されたカートリッジ３の側部を支持可能な幅に設定されている。
【００３４】
更に、２つのカートリッジ受け部４１の間には、スピンドルモータ１３に係合した裸の光ディスク１（図２（ｃ）参照）が挿通可能な開口４３が形成されている。
【００３５】
図１に戻って、カートリッジ保持手段２１のカートリッジ挿入口２３における、挿入されるカートリッジ１の前端面と対向するカートリッジ受け部４１の縁部には、ベース１１側に傾斜する傾斜部４１ａが形成されている。
【００３６】
尚、本実施の形態例では、カートリッジ保持手段２１の側面２２、天面２４にも傾斜部２２ａ、傾斜部２４ａを形成した。
【００３７】
上記構成によれば、以下のような効果を得ることができる。
（１）カートリッジ保持手段２１はベース１１に対して回転可能に設けられているだけなので、構成が簡単となり、小型化が可能である。
（２）カートリッジ保持手段２１のベース１１と対向するカートリッジ受け部４１には、スピンドルモータ１３に係合した裸の光ディスク１が挿通可能な開口４３が形成されていることにより、裸の光ディスク１が装着されている場合でも、カートリッジ保持手段２１は、カートリッジチャッキング状態までベース１１に接近することができ、装置がより小型化できる。
（３）挿入されるカートリッジ３の前端面と対向するカートリッジ受け部４１の縁部に、傾斜部４１ａを設けたことにより、カートリッジ３をカートリッジ保持手段２１のカートリッジ挿入口２３から挿入した場合、カートリッジ３がカートリッジ受け部４１の縁部に引っかかることなく挿入できる。
【００３８】
同様に、挿入されるカートリッジ３の前端面と対向するカートリッジ保持手段２１の側面２２、天面２４の縁部にも、傾斜部２２ａ、傾斜部２４ａを形成したことにより、カートリッジ３をカートリッジ保持手段２１のカートリッジ挿入口２３から挿入した場合、カートリッジ３が側面２２、天面２４の縁部に引っかかることなく挿入できる。
（４）ベース１１の前部には、カートリッジ保持手段２１のカートリッジ挿入口２３が対向可能で、対向時にはカートリッジ挿入口２３を塞ぐ壁部としての前部折曲部１２が形成されている。更に、ベース１１の側部には、カートリッジ保持手段２１方向に折曲され、カートリッジ保持手段２１の側面２２が対向可能な壁部としての側部折曲部１４が形成されている。したがって、ベース１１上に塵埃が侵入しにくい。
【００３９】
更に、側部折曲部１４には、その先端からスピンドルモータ１３に係合した裸の光ディスク１の位置まで切り欠かれ、スピンドルモータを通る直線上に略位置する２つの切欠１４ａが形成されている。したがって、裸の光ディスク１のスピンドルモータ１３への係脱が容易となる。
【００４０】
尚、本発明は上記実施の形態例に限定するものではない。例えば、カートリッジ保持手段２１の開口４３を一部隠蔽する手段、例えば、着脱可能で２つのカートリッジ受け部４１を橋渡しするような部材を用いることにより、カートリッジ３を保持する面積を増やすことができ、カートリッジ保持手段２１はカートリッジ３を安定して保持することできる。
【００４１】
又、上記実施の形態例では、カートリッジ保持手段２１をベース１１に対して接近／離反させるようにしたが、逆に、ベース１１をカートリッジ保持手段２１に対して接近／離反させるようにしても良い。
【００４２】
更に、上記実施の形態例では、カートリッジ保持手段２１に保持されたカートリッジ３の光ディスク１とベース１１のスピンドルモータ１３とが係合するカートリッジチャッキング状態（図２（ｂ）参照）、及び  カートリッジ保持手段２１がベース１１より離れた状態で、カートリッジ保持手段２１とベース１１との間の空間から、裸の光ディスク１をスピンドルモータ１３に係合させることが可能な裸ディスクチャッキング可能状態（図２（ｃ）参照）となるように、ベース、カートリッジ保持手段のうちの一方を他方に対して接近／離反させる移動手段として回転機構を用いた例で説明を行なったが、図４に示すような機構であってもよい。図４において、ベース１１、カートリッジ保持手段２１には、長穴７１、長穴７３を形成し、中央で交差するリンク７５、リンク７７の一方の端部をベース１１、カートリッジ保持手段２１にそれぞれ回転可能に取り付け、リンク７５、リンク７７の他方の端部を長穴７３、長穴７１に移動可能に係合させている。
【００４３】
又、ベース１１の周縁に形成する壁部としては、ベース１１を折り曲げて形成した前部折曲部１２、側部折曲部１４に限定するものではない。他に、ベース１１を覆う樹脂等で形成された外装ケースに前部折曲部１２、側部折曲部１４に相当する壁部を形成してもよい。
【００４４】
【発明の効果】
以上述べたように請求項１記載の発明によれば、移動手段はベース、カートリッジ保持手段のうちの一方を他方に接近／離反させるだけなので、構成が簡単となり、小型化が可能である。
【００４５】
更に、カートリッジ保持手段の前記ベースと対向するカートリッジ受け部には、前記スピンドルモータに係合した前記裸の光ディスクが挿通可能な開口が形成されていることにより、裸の光ディスクが装着されている場合でも、カートリッジ保持手段は、カートリッジチャッキング状態までベースに接近することができ、装置がより小型化できる。
【００４６】
請求項２記載の発明によれば、挿入される前記カートリッジの前端面と対向する前記カートリッジ受け部の縁部には、前記ベース側に傾斜する傾斜部を設けたことにより、カートリッジをカートリッジ受け部の挿入口から挿入した場合、カートリッジがカートリッジ受け部の縁部に引っかかることなく挿入できる。
【００４７】
請求項３記載の発明によれば、前記カートリッジ保持手段の開口を一部隠蔽する手段を設けたことにより、カートリッジを保持する受け部の面積を増やすことができ、カートリッジ保持手段はカートリッジを安定して保持することできる。
【００４８】
請求項４記載の発明によれば、前記ベースの周縁には、前記カートリッジ保持手段方向に向かう壁部が形成されていることにより、ベース上に塵埃が侵入しにくい。
【００４９】
又、壁部には、その先端から少なくとも前記スピンドルモータに係合した裸の光ディスクの位置まで切り欠かれ、前記スピンドルモータを通る直線上に略位置する２つの切欠が形成されていることにより、裸の光ディスクのスピンドルモータへの係脱が容易となる。
【図面の簡単な説明】
【図１】実施の形態例の光ディスク記録再生装置の斜視図である。
【図２】図１の作動を説明する図である。
【図３】図１のカートリッジ保持手段を矢印Ａ方向から見た図である。
【図４】他の実施の形態例を説明する図である。
【図５】従来の光ディスクの外観を示す図である。
【符号の説明】
１１  ベース
１３  スピンドルモータ
１５  光ピックアップ
２１  カートリッジ保持手段
３１  ピン
４３  開口
【図１】
2004152423.tif 000003
【図２】
2004152423.tif 000004
【図３】
2004152423.tif 000005
【図４】
2004152423.tif 000006
【図５】
2004152423.tif 000007